(57)【要約】【課題】１つのグラフィック表示コントローラで二つのディスプレイに係る画面表示を制御することができる二画面ディスプレイ出力システムを提供する。【解決手段】二画面ディスプレイ出力システムは、ＧＤＣ２０から出力された画像データを一時格納する格納部２３０と、基準クロックを２分の１の周波数に分周する分周部２１０と、分周周波数でディスプレイ５０に係る部分の第一の画像データを読み込む第一の読込部２４０と、第一の画像データを同期信号と共に出力する第一の出力部２８０と、第一の読込部より遅れて分周周波数でディスプレイ６０に係る部分の第二の画像データを読み込む第二の読込部２５０と、ＧＤＣ２０から出力された同期信号を遅延させる遅延部２７０と、第二の画像データを分周周波数と遅延部２７０で所定時間遅延した同期信号と共に出力する第二の出力部２９０と、を有する画面分配器４０を備える。【選択図】図１
2010169753.tif 000002
【特許請求の範囲】
【請求項１】
第一のディスプレイと、
第二のディスプレイと、
前記第一のディスプレイ及び前記第二のディスプレイの画面表示に係る二画面の画像データを組み合わせた画像データと、該画像データの表示を制御する基準クロックおよび同期信号と、を送出する表示コントローラと、
前記表示コントローラから出力された前記画像データを格納する格納部と、前記基準クロックを２分の１の周波数に分周した分周周波数を生成する分周部と、前記格納部に格納された前記画像データのうちの前記第一のディスプレイに出力すべき第一の画像データを前記分周周波数にて読み込む第一の読込部と、前記第一の読込部によって読み込んだ前記第一の画像データを前記同期信号と共に前記第一のディスプレイに出力する第一の出力部と、前記格納部に格納された前記画像データのうちの前記第二のディスプレイに出力すべき第二の画像データを前記第一の読込部より遅れて前記分周周波数にて読み込む第二の読込部と、前記表示コントローラから出力された前記同期信号を遅延させる遅延部と、前記第二の読込部によって読み込んだ前記第二の画像データを前記分周周波数の前記基準クロックと前記遅延部で所定時間遅延した同期信号と共に前記第二のディスプレイに出力する第二の出力部と、を有する画面分配器と、
を備えることを特徴とする二画面ディスプレイ出力システム。
【発明の詳細な説明】
【技術分野】
【０００１】
本発明は、ディスプレイを二台有し、それぞれに画面表示を行う二画面ディスプレイシステムに関する。
【背景技術】
【０００２】
カーナビゲーションシステムなどの画面表示を行う機器では、ディスプレイを二台有し、これに異なる画像または連続する画像を表示するように構成したものがある。図５は、従来の二画面ディスプレイ出力システムの概略構成を示すブロック図である。二画面ディスプレイ出力システムは、ディスプレイ５０および６０の二台のディスプレイを有する。また、ディスプレイごとにグラフィックディスプレイコントローラ（ＧＤＣ）を有し、ＧＤＣ２０および３０の各ＧＤＣは、ＲＧＢの画面データと、二つの表示を同期させるための同期信号および一走査ライン当たりの画面データを転送する基準となる基準クロック信号をそれぞれ別個に生成してディスプレイに出力する。
【０００３】
しかし、上記従来の二画面ディスプレイ出力システムでは、画面データを格納するＲＯＭやＲＡＭなどのメモリがＧＤＣごとに必要で、同じ画面データをそれぞれのメモリに格納しなければならないという無駄が生じていた。更に、それを制御するＣＰＵ１０は、二つの画面データを同期させるために二つのＧＤＣに対して複雑なソフトウェア制御を必要としていた。
【０００４】
ところで、１台のディスプレイを二画面領域に分割して表示する表示装置では、不要輻射ノイズの低減と端子削減によるコスト低減を目的として、同期しない二つの基準クロックを転送することにより、同じデータバスを転送される画面データを交互に二画面領域に振り分け、擬似的にデュアルスキャン方式を実現させる表示装置が提案されている（例えば、特許文献１参照）。
【０００５】
しかしながら、二画面ディスプレイ出力システムでは、従来、上記のように１つのＧＤＣで二画面用の画面データを選択的に振り分ける方策は開示されていなかった。
【先行技術文献】
【特許文献】
【０００６】
【特許文献１】特開２００３−１８６４４９号公報（第３頁−第４頁、図１）
【発明の概要】
【発明が解決しようとする課題】
【０００７】
本発明は、上述した事情に鑑みてなされたものであり、その目的は、二画面を組み合わせた画面データをＧＤＣで生成、出力し、当該画面データを画面分配器で二台のディスプレイに分配して出力することにより、１つのＧＤＣで二台のディスプレイに係る画面表示を制御することができる二画面ディスプレイ出力システムを提供することにある。
【課題を解決するための手段】
【０００８】
前述した目的を達成するために、本発明に係る二画面ディスプレイ出力システムは、下記（１）を特徴としている。
（１）  第一のディスプレイと、
第二のディスプレイと、
前記第一のディスプレイ及び前記第二のディスプレイの画面表示に係る二画面の画像データを組み合わせた画像データと、該画像データの表示を制御する基準クロックおよび同期信号と、を送出する表示コントローラと、
前記表示コントローラから出力された前記画像データを格納する格納部と、前記基準クロックを２分の１の周波数に分周した分周周波数を生成する分周部と、前記格納部に格納された前記画像データのうちの前記第一のディスプレイに出力すべき第一の画像データを前記分周周波数にて読み込む第一の読込部と、前記第一の読込部によって読み込んだ前記第一の画像データを前記同期信号と共に前記第一のディスプレイに出力する第一の出力部と、前記格納部に格納された前記画像データのうちの前記第二のディスプレイに出力すべき第二の画像データを前記第一の読込部より遅れて前記分周周波数にて読み込む第二の読込部と、前記表示コントローラから出力された前記同期信号を遅延させる遅延部と、前記第二の読込部によって読み込んだ前記第二の画像データを前記分周周波数の前記基準クロックと前記遅延部で所定時間遅延した同期信号と共に前記第二のディスプレイに出力する第二の出力部と、を有する画面分配器と、
を備えること。
【０００９】
上記（１）の構成の二画面ディスプレイ出力システムによれば、１つの表示コントローラで二台のディスプレイに係る画面表示を制御することができる。
【発明の効果】
【００１０】
本発明によれば、二台のディスプレイの画面表示に係る制御を１つのＧＤＣで行うので、ＧＤＣ及びそのメモリ（ＲＯＭ・ＲＡＭ）を削減することができ、部品構成の簡素化により部品及び実装コストを低減することができる。
また、システム構成が単純化されるため、ＧＤＣを制御するＣＰＵのソフトウェアの負荷も低減され、安価にシステムを提供することができる。
【００１１】
以上、本発明について簡潔に説明した。更に、以下に説明される発明を実施するための形態を添付の図面を参照して通読することにより、本発明の詳細は更に明確化されるであろう。
【図面の簡単な説明】
【００１２】
【図１】本発明の実施の形態における二画面ディスプレイ出力システムの概略構成を示すブロック図
【図２】組み合わされた二つの画面データが画面分配器により分配される様子を概念的に示す模式図
【図３】本発明の実施の形態における二画面ディスプレイ出力システムの画面分配器の概略構成を示す機能ブロック図
【図４】本発明の実施の形態における二画面ディスプレイ出力システムの画面分配器の機能タイミングチャート
【図５】従来の二画面ディスプレイ出力システムの概略構成を示すブロック図
【発明を実施するための形態】
【００１３】
以下、本発明の実施の形態について図面を参照して詳細に説明する。
【００１４】
図１は、本発明の実施の形態における二画面ディスプレイ出力システムの概略構成を示すブロック図である。二画面ディスプレイ出力システムは、主に、ＣＰＵ１０、ＧＤＣ２０、画面分配器４０、ディスプレイ５０および６０、などで構成される。
【００１５】
ＣＰＵ１０は、二画面ディスプレイ出力システムの動作を統括制御する制御部である。ＧＤＣ２０は、グラフィックディスプレイコントローラで、ディスプレイ５０および６０に表示する画面データを格納するＲＯＭ２１やＲＡＭ２２を有する。ＲＧＢの画面データはＧＤＣで生成されるが、本発明では、ＧＤＣ２０は、図２に示すように二台のディスプレイに表示する画面を組み合わせて後述する画面分配器４０へ出力する。また、ＧＤＣ２０は、画面データとともに二つの表示を同期させるための同期信号syncおよび画面データを転送する基準となる基準クロック信号clockを生成して出力する。
【００１６】
画面分配器４０は、ＧＤＣ２０とディスプレイ５０および６０の間にあって、入力された二画面を組み合わせた画面データがそれぞれのディスプレイで表示されるように分配する制御部である。画面分配器４０は、第一の出力部出力−１および第二の出力部出力−２を有し、図２に示すように分配された画像はそれぞれの出力部から出力される。
【００１７】
図３は、本発明の実施の形態における二画面ディスプレイ出力システムの画面分配器４０の概略構成を示す機能ブロック図である。画面分配器４０は、主に、基準クロック信号clockが入力される入力部２００、入力された基準クロックを２分の１の周波数に分周する分周部２１０、ＲＧＢの画面データが入力される入力部２２０、入力された画面データを一時格納するための格納部２３０、第一の出力部へ転送する画面データの読み込みを行う第一の読込部２４０、第二の出力部へ転送する画面データの読み込みを行う第二の読込部２５０、同期信号syncが入力される入力部２６０、入力された同期信号に遅延をかける遅延部２７０、第一の読込部２４０から出力された画面データ、分周周波数の基準クロック信号clock1、同期信号sync1が入力される第一の出力部２８０、第二の読込部２５０から出力された画面データ、分周周波数の基準クロック信号clock2、同期信号sync2が入力される第二の出力部２９０、などで構成される。
【００１８】
次に、上記構成の二画面ディスプレイ出力システムの画面表示動作について説明する。尚、以下では第一の出力部２８０を介してディスプレイ５０に表示される画面データを画面１、第二の出力部２９０を介してディスプレイ６０に表示される画面データを画面２と称する。
【００１９】
図４は、本発明の実施の形態における二画面ディスプレイ出力システムの画面分配器の機能タイミングチャートである。はじめに、ＧＤＣ２０から、基準クロック３００とともにディスプレイ５０および６０で表示するための画面データ３０１が入力部２２０に入力される。画面データは、一旦格納部２３０に格納され、画面１の画面データは第一の読込部２４０に読み込まれる。図４の例では、ライトアドレスカウンタ３０２の１から５に対応する内部ＲＡＭに、Ｄ０からＤ４の画面データ３０３が書き込まれる。
【００２０】
入力部２００に入力された基準クロック３００は、分周部２１０で２分の１の周波数に分周され、第一および第二の読込部２４０、２５０へ転送されるので、第一の読込部２４０は、分周後の基準クロック３０６（clock1）で画面１に係る部分データを読み出し、clock1、同期信号３０９（sync1）とともに第一の出力部２８０へ出力する。図４の例では、リードアドレスカウンタ３０７の１から５に対応するＤ０からＤ４の画面データ３０８が出力される。
【００２１】
一方、一旦格納部２３０に格納された画面２の画面データは、第二の読込部２５０に読み込まれる。図４の例では、ライトアドレスカウンタ３０４の１から５に対応する内部ＲＡＭに、Ｄ５からＤ９の画面データ３０５が書き込まれる。
【００２２】
その後、第二の読込部２５０は、分周後の基準クロック３０６（clock2）で画面２に係る部分データを読み出し、clock2、遅延部２７０で遅延された同期信号３１２（sync2）とともに第二の出力部２９０へ出力する。図４の例では、リードアドレスカウンタ３１０の１から５に対応するＤ５からＤ９の画面データ３１１が出力される。一走査ライン当たりの画面データを単位として出力が行われるので、上記の手順が繰り返されることにより、画面１および画面２のデータがそれぞれディスプレイ５０および６０に表示されることになる。
【００２３】
以上、詳述したように、本発明の二画面ディスプレイ出力システムによれば、ＧＤＣ２０で組み合わせた二画面の画面データが、画面分配器４０で、ディスプレイ５０に表示する画面１とディスプレイ６０に表示する画面２とに適切に分配されるので、１つのＧＤＣで二画面の表示制御を行うことができる。尚、画面分配器の機能回路をＬＳＩ（ＰＬＤ）で実現することにより、部品構成上また実装上のコストを低減することができる。
【００２４】
本発明の二画面ディスプレイ出力システムは、部品及び実装コストを低減し、システムを安価に提供できるという効果を有し、カーナビゲーションシステムなどの複数の画面表示を行う表示装置において有用である。
【符号の説明】
【００２５】
１０  ＣＰＵ
２０，３０  ＧＤＣ
２１，３１  ＲＯＭ
２２，３２  ＲＡＭ
４０  画面分配器
５０，６０  ディスプレイ
１００  二画面ディスプレイ出力システム
２００  基準クロック入力部
２１０  分周部
２２０  画面データ入力部
２３０  格納部
２４０  第一の読込部
２５０  第二の読込部
２６０  同期信号入力部
２７０  遅延部
２８０  第一の出力部
２９０  第二の出力部
【図１】
2010169753.tif 000003
【図２】
2010169753.tif 000004
【図３】
2010169753.tif 000005
【図４】
2010169753.tif 000006
【図５】
2010169753.tif 000007